(57)【特許請求の範囲】
【請求項１】
直線筒状の筒体を有し、収容孔が貫き、少なくとも１つの爪片が前記筒体の前端に設置されていて、内縁でチャック歯を形成する針筒と、
円形を呈するリング体を有し、前記針筒の前記筒体に差し込める軸方向の嵌込孔を備え、少なくとも１つの逃孔が前記リング体の前段に開設され、前記針筒に対して異なる位置まで旋動して位置決め可能な外ロールケーシングと、
前記針筒の前記収容孔の内部で摺動でき、止環溝が外周に設けられ、輸液孔が軸方向の中心に貫通している筒装着部を有する針座と、
切断部が所定位置にある棒体を備え、係止フックが前端に設置された押棒と、
前記押棒の前端に嵌め込まれ前記針筒の前記収容孔を塞いでいる押棒グルー栓と、
を備え、
前記外ロールケーシングを旋動して前記針筒の所定の第１位置に位置決めすることにより、前記針筒の前記チャック歯が前記針座の前記止環溝に引っ掛けられ、
前記外ロールケーシングを前記第１位置とは別の第２位置まで旋動して前記逃孔を前記針筒の前記爪片に対応させることにより、前記爪片が前記逃孔の外側に張出して前記針座が制限を受けずに移動できるため、前記押棒により注射針を引戻せることを特徴とするロールケーシング制御式引戻し安全注射器。
【請求項２】
前記外ロールケーシングの前記逃孔の数は３個であり、前記リング体の前段で均等角度に分布して開設されていることを特徴とする請求項１に記載のロールケーシング制御式引戻し安全注射器。
【請求項３】
前記針筒はさらに外リング溝を外周に備えており、前記外ロールケーシングは内突リングを有し前記針筒の前記外リング溝に引っ掛けて回転可能であることを特徴とする請求項１に記載のロールケーシング制御式引戻し安全注射器。
【請求項４】
前記針筒はさらに位置決め凸点を外周に備え、前記外ロールケーシングは第１孔、第２孔、および通孔が相連なって形成され、前記針筒の前記位置決め凸点に嵌め込まれて位置決め可能な位置決め溝孔を備えていることを特徴とする請求項１に記載のロールケーシング制御式引戻し安全注射器。
【発明の詳細な説明】
【０００１】
【発明の属する技術分野】
本発明は、ロールケーシング制御式引戻し安全注射器に関する。
【０００２】
【従来の技術】
一般の注射器は現在、いずれも医療従事者の安全を考慮して、注射針が引戻せる形の安全注射器を設計製造し、注射針による刺傷や感染の危険の発生を防止している。
【０００３】
【発明が解決しようとする課題】
しかし、現在市場に出ている引戻し式の安全注射器は、構造が複雑過ぎるものは製造が難しく、合格率を高めることはできず、また構造が簡単なものでは、製造は容易でしかも大量生産できるものの、組合せがしっかりしているとは言えず動きが不良となることから、使用者から歓迎されておらず、普及していない。
【０００４】
発明者は上述した課題を鑑み、苦心を重ねて本発明のロールケーシング制御式引戻し安全注射器を研究開発した。
本発明の主要目的は、注射針を引戻すことで使用に安全性を持たせるロールケーシング制御式引戻し安全注射器を提供することにある。
【０００５】
本発明の二次的目的は、針座が移動できるか否かという位置決め操作を制御するロールケーシング制御式引戻し安全注射器を提供することである。
本発明のさらなる目的は、構造が簡素化されながらも正常に作動するようにするロールケーシング制御式引戻し安全注射器を提供することにある。
【０００６】
【課題を解決するための手段】
前記の課題を解決するため、本発明の請求項記載のロールケーシング制御式引戻し安全注射器は、針筒と、外ロールケーシングと、針座と、押棒と、押し棒グルー栓を備える。針筒は、直線筒状の筒体を有し、収容孔を穿設し、少なくとも１つの爪片が筒体の前端に設置されるとともに内縁にはチャック歯が形成され、外リング溝が外周に配置され、位置決め凸点が筒体の外周に設けられている。外ロールケーシングは、リング体を備え、針筒の筒体に嵌入できる軸方向の嵌込孔を有し、収縮縁に挿入孔が形成され、内突リングが嵌込孔の内縁に設けられ、少なくとも１つの逃孔がリング体の前段に開設され、第１孔、第２孔および通孔が相連なって位置決め溝孔を形成し、凸点状の溝道が外端の縁から第１孔まで通じている。針座は、２つのＯ形リングを嵌入できる外リング溝を備えた筒装着部を有し、針筒の収容孔内部で摺動でき、止肩部が筒装着部の側面に設置され、止環溝が止肩部外周に設けられ、輸液孔が軸方向の中心に穿設されている。押棒は、切断部が所定位置にある棒体を有し、係止フックが前端に設置されている。押棒グルー栓は、押棒の前端に嵌入されている。
【０００７】
上記構造によって、外ロールケーシングを旋動させて前記針筒の所定の第１位置に位置決めすることにより、針筒のチャック歯が針座の止環溝に係止される。また、外ロールケーシングを上記第１位置とは別の第２位置まで旋動して逃孔を針筒の爪片に対応させることにより、爪片が逃孔の外側に張出して針座が制限を受けずに移動できるため、押棒により注射針を引戻せることから、安全な注射器となる。
【０００８】
【発明の実施の形態】
本発明の特徴と効果をさらに理解するため、ここで以下に実施例を挙げ図面を付して説明する。
図１〜３を参照すると、本発明の一実施例であるロールケーシング制御式引戻し安全注射器は、注射針６０の挿置ケーシングを提供するものであって、針筒１０と、外ロールケーシング２０と、針座３０と、押棒４０と、押棒グルー栓５０とを備える。
【０００９】
図４〜図６に示すように、針筒２０は、直線筒状の筒体１１を備え、収容孔１２を穿設する。３つの爪片１３は円周を三等分にして筒体１１の前端に設置され、それぞれが内縁方向にチャック歯１３１を形成し、三つの間片１４は爪片１３の各間に設けられる。外リング溝１５が外周の所定位置に形成され、位置決め凸点１６が筒体１１の外周に設置され、抓み部１７が筒体１１の他端の外側に設置され、押棒止め縁１８が収容孔１２の開口部近くに設けられている。
【００１０】
図７〜図１０に示すように、外ロールケーシング２０は、円形をしたリング体２１を備える。軸方向の嵌込孔２２は針筒１０の筒体１１に挿置可能で、収縮縁２３が挿入孔２４を形成し、内突リング２５が嵌込孔２２の内縁に設置され、３つの逃孔２６がリング体２１の前段で均等角度に分布して開設される。位置決め溝孔２７は第１孔２７１と第２孔２７２が相連なって形成され、凸状境界部２７３がその間に形成され、弾性孔２８が凸状境界部２７３の片側に設けられ、凸点状の溝道２９が外端の縁から第１孔２７１まで通じている。
【００１１】
図１１〜図１２に示すように、針座３０は、２つのＯ形リング７０を嵌入できる外リング溝３２を配置した筒装着部３１を備える。針筒１０の収容孔１２内部を塞いで摺動可能で、挿設孔３３は内向きに引止め縁３４を形成し、止肩部３５が筒装着部３１の片側に設置される。保護ケーシング３６が止肩部３５の他端に設置され、止環溝３７が止肩部外周に設置され、注射針接続管３８は注射針６０を嵌め込んで固定し、輸液孔３９が挿設孔３３まで通じている。
【００１２】
図１３〜図１４に示すように、押棒４０は、断面が十字形の長い棒状を呈した棒体４１を備える。切断部４２が所定位置に設けられ、頚部４３が前端に設置される。係止フック４４はその更に前端に設置され、止め盤４５が切断部４２と頚部４３との間に設けられ、指で押すための押し盤４７が後端に設置されている。押棒グルー栓５０は、中心に嵌込孔５２を形成するリング体５１を備え、押棒４０の頚部４３に嵌め込み、外周の凸リングは針筒１０の収容孔１２に密封されている。
【００１３】
本実施例の操作と作動に関して、次に説明する。
図３の組合せ位置は、本発明の一実施例であるロールケーシング制御式引戻し安全注射器の使用前における組合せ状態を示しており、または薬液を抽取する際の使用状態図であり、または注射の際の使用状態図であり、押棒４０を引戻すと薬液を抽取することができる。
【００１４】
このとき、針座３０は係止固定した状態になければならず、さらに図１５を参照すると、外ロールケーシング２０の第１孔２７１が針筒１０の位置決め凸点１６（即ち第１位置）に嵌め込まれて位置決めされており、針筒１０の爪片１３の各チャック歯１３１は外向きに変形しないため各チャック歯１３１が針座３０の止環溝３７に引っ掛かったままになり、針座３０を移動させないため、不動の状態が保持され使用の際に安定性と安全性を保つ。
【００１５】
また図１６は本発明の一実施例であるロールケーシング制御式引戻し安全注射器の注射後の状態を示した図であり、押棒４０の係止フック４４は針座３０の引止め縁３４まで差込まれており、このとき押棒４０と針座３０は連動する状態を呈している。
このとき引戻す場合には、図１７に示すように、外ロールケーシング２０を旋動し、針筒１０の位置決め凸点１６を外ロールケーシング２０の凸状境界部２７３を通過させて、第２孔２７２に位置決めさせる（即ち第２位置）。
【００１６】
さらに、図１８と図１９に示すように、針筒１０の各爪片１３は外ロールケーシング２０の逃孔２６に対応して位置するため、押棒４０が後方に引戻されたときに、針座３０の引止め縁３４が移動して針筒１０の爪片１３を押えて外ロールケーシング２０の逃孔２６の外へと張出させるので、円滑に針座３０を引戻すことができる。
このとき、針座３０の保護ケーシング３６が注射針６０のケーシングヘッド６１を収納して包囲するため、注射針６０が針筒１０と抵触して脱落しないよう保護することができる。
【００１７】
最後に、図２０は本発明の一実施例であるロールケーシング制御式引戻し安全注射器の押棒が注射針を引戻した後の状態図であり、押棒４０の止め盤４５の外周は針筒１０の押棒止め縁１８に遮ぎ止められ、ここで押棒４０を折曲げると切断部が裂け、押棒を切断させて、針座３０および注射針６０を針筒１０の収容孔１２中に留めることができる。
【００１８】
以上の説明から、本発明の一実施例の特徴を以下のようにまとめることができる。
１．本発明の一実施例におけるロールケーシング制御式引戻し安全注射器は、注射針を針座とともに押棒で引戻すことで、使用に安全性を持たせることが可能である。
【００１９】
２．本発明の一実施例におけるロールケーシング制御式引戻し安全注射器は、外ロールケーシングが旋動して異なる位置で位置定めするのを利用して、針座が移動するか否かの位置定め操作を制御する。
３．本発明の一実施例におけるロールケーシング制御式引戻し安全注射器は、外ロールケーシングと針筒の組合せおよび針座との係合により、構造を簡素化して正常に作動させることが可能である。
【図面の簡単な説明】
【図１】本発明の一実施例によるロールケーシング制御式引戻し安全注射器を示す側面図である。
【図２】本発明の一実施例によるロールケーシング制御式引戻し安全注射器を示す分解立体図である。
【図３】本発明の一実施例によるロールケーシング制御式引戻し安全注射器を側面から見た組合せ断面図であり、注射前の未係合の状態を示している。
【図４】本発明の一実施例によるロールケーシング制御式引戻し安全注射器の筒体の側面図である。
【図５】本発明の一実施例によるロールケーシング制御式引戻し安全注射器の筒体の断面図である。
【図６】図４の６−６線断面図である。
【図７】本発明の一実施例によるロールケーシング制御式引戻し安全注射器の外ロールケーシングの上面図である。
【図８】本発明の一実施例によるロールケーシング制御式引戻し安全注射器の外ロールケーシングの断面図である。
【図９】本発明の一実施例によるロールケーシング制御式引戻し安全注射器の外ロールケーシングの端面を示す図である。
【図１０】図９の１０−１０線における断面拡大図である。
【図１１】本発明の一実施例によるロールケーシング制御式引戻し安全注射器の針座を示す側面図である。
【図１２】本発明の一実施例によるロールケーシング制御式引戻し安全注射器の針座を示す断面図である。
【図１３】本発明の一実施例によるロールケーシング制御式引戻し安全注射器の押棒を示す側面図である。
【図１４】本発明の一実施例によるロールケーシング制御式引戻し安全注射器の押棒の棒体を示す断面図である。
【図１５】本発明の一実施例によるロールケーシング制御式引戻し安全注射器の針筒と外ロールケーシングの組合せ立体図であり、回転して係合する状態を示している。
【図１６】本発明の一実施例によるロールケーシング制御式引戻し安全注射器の組合せ断面図であり、注射後に押棒が係合した状態を示している。
【図１７】本発明の一実施例によるロールケーシング制御式引戻し安全注射器の針筒と外ロールケーシングの組合せ立体図であり、回転させて未係合にした状態を示している。
【図１８】本発明の一実施例によるロールケーシング制御式引戻し安全注射器の組合せ断面図であり、押棒が針座を引戻す状態を示している。
【図１９】図１８の一部の拡大図である。
【図２０】本発明の一実施例によるロールケーシング制御式引戻し安全注射器の組合せ断面図であり、押棒が針座を完全に引戻した状態を示している。
【符号の説明】
１０      針筒
１１      筒体
１２      収容孔
１３      爪片
１６      位置決め凸点
２０      外ロールケーシング
２１      リング体
２２      嵌込孔
２６      逃孔
２７      位置決め溝孔
３０      針座
３１      筒装着部
３７      止環溝
３９      輸液孔
４０      押棒
４１      棒体
４２      切断部
４４      係止フック
５０      押棒グルー栓
６０      注射針
１３１      チャック歯
２７１      第１孔
２７２      第２孔
【図１】
0003727284.tif 000002
【図２】
0003727284.tif 000003
【図３】
0003727284.tif 000004
【図４】
0003727284.tif 000005
【図５】
0003727284.tif 000006
【図６】
0003727284.tif 000007
【図７】
0003727284.tif 000008
【図８】
0003727284.tif 000009
【図９】
0003727284.tif 000010
【図１０】
0003727284.tif 000011
【図１１】
0003727284.tif 000012
【図１２】
0003727284.tif 000013
【図１３】
0003727284.tif 000014
【図１４】
0003727284.tif 000015
【図１５】
0003727284.tif 000016
【図１６】
0003727284.tif 000017
【図１７】
0003727284.tif 000018
【図１８】
0003727284.tif 000019
【図１９】
0003727284.tif 000020
【図２０】
0003727284.tif 000021